(57)【要約】【課題】            波付可撓管同士の接続をワンタッチで容易にでき、管継手部分が抜け落ちることがなく、確実に波付可撓管を固定することができ、さらには、水の浸入を確実に防止することができる波付可撓管の接続方法を提供する。【解決手段】        内周面に吸水性不織布を敷設した螺旋状部と雄部と雌部を接続する嵌合部を形成した雄部および雌部を前記螺旋状部側から２本の長尺形成された波付可撓管の端部へ螺設する。係止部が形成された雄側の嵌合部を割付きストッパリングが設置された雌側の嵌合部へ挿設する。【選択図】          図３
2007127170.tif 000002
【特許請求の範囲】
【請求項１】
波付可撓管の端部同士を雄部および雌部からなる一対の円筒状管継手で接続する方法であって、前記雄部は一方が内周面に吸水性不織布が敷設された螺旋状部と他方が前記螺旋状部側に波付可撓管貫通防止部が形成され、外周面にゴムパッキンが設置された係止部付きの雄側嵌合部で形成され、前記雌部は一方が前記螺旋状部と同一形状をなし、他方が前記螺旋状部側に波付可撓管貫通防止部が形成され、内周に割付きストッパリングが設置された前記雄側嵌合部より径の大きい雌側嵌合部で形成されており、前記雄部および前記雌部を前記螺旋状部側から波付可撓管の端部へ螺設する工程と、前記雄側嵌合部を前記雌側嵌合部へ挿設する工程を備える波付可撓管の接続方法。
【発明の詳細な説明】
【技術分野】
【０００１】
本発明は、波付可撓管同士を接続する方法に関する。
【背景技術】
【０００２】
従来、波付可撓管同士の接続は、一方の波付可撓管の端部に管継手の接続部を差し込み、管継手を波付可撓管突条に沿って螺旋数回転させて、管継手の略全長を波付可撓管の端部に被せた後、対向端部と互いに付き合わせた他方の波付可撓管に、双方の波付可撓管を回転させることなく、管継手を突条に沿って螺旋数の略半分回転させて、管継手の両端部を双方の波付可撓管の端部に対して略均等に被せた状態に接続されている。（特許文献１参照）。
【特許文献１】特開２００４−７９９６号公報
【発明の開示】
【発明が解決しようとする課題】
【０００３】
しかしながら、波付可撓管は製造後コイル状に巻いて保管されており、コイル状に巻かれた波付可撓管の場合、捲き癖が残っているため、波付可撓管の端部へ管継手を螺入し難く、また、管継手を一方の波付可撓管へ螺入後、他方の波付可撓管の対向端部を互いに付き合わせ難く、接続上、作業性が困難な問題があった。本発明は上記問題を鑑み、雄部および雌部一対で構成し、雄部および雌部各々に波付可撓管へ螺設する螺旋状部と雄部と雌部を接続する嵌合部を形成した管継手を使用することにより波付可撓管同士をワンタッチで容易に接続できる方法を知見し、本発明を完成するに至ったものである。
【課題を解決するための手段】
【０００４】
本発明は波付可撓管の端部同士を雄部および雌部からなる一対の円筒状管継手で接続する方法であって、前記雄部は一方が内周面に吸水性不織布が敷設された螺旋状部と他方が前記螺旋状部側に波付可撓管貫通防止部が形成され、外周面にゴムパッキンが設置された係止部付きの雄側嵌合部で形成され、前記雌部は一方が前記螺旋状部と同一形状をなし、他方が前記螺旋状部側に波付可撓管貫通防止部が形成され、内周に割付きストッパリングが設置された前記雄側嵌合部より径の大きい雌側嵌合部で形成されており、前記雄部および前記雌部を前記螺旋状部側から波付可撓管の端部へ螺設する工程と、前記雄側嵌合部を前記雌側嵌合部へ挿設する工程を備える波付可撓管の接続方法である。
【０００５】
本発明の波付可撓管の接続方法は、雄部および雌部各々の螺旋状部を形成していることから、波付可撓管端部に容易に螺設することができる。また、雄部側嵌合部を雌部側嵌合部へ挿設はワンタッチで容易にできる。
【０００６】
雄部および雌部を螺旋状部側から接続する波付可撓管の各端部へ螺設することで雄部および雌部各々の螺旋状部内周面に敷設した吸水性不織布が波付可撓管と密接し、確実に水の浸入を防止することができる。また、雄側嵌合部および雌側嵌合部に貫通防止部が形成されていることから、波付可撓嵌は雄側嵌合部および雌側嵌合部に貫通されることはなく確実に固定することができる。
【０００７】
雄側嵌合部を雌側嵌合部へ挿設することで、雌側嵌合部内周面に設置された割付きストッパリングが雄側嵌合部に形成された係止部で係止し、抜け落ちを防止することができる。また、雄側嵌合部外周面に設置されたゴムパッキンを雌側嵌合部内周面と密接させることで、確実に水の浸入を防止することができる。
【発明の効果】
【０００８】
本発明によれば、波付可撓管同士の接続をワンタッチで容易にできるほか、管継手部分が抜け落ちることがなく、確実に波付可撓管を固定することができ、さらには、水の浸入を確実に防止することができる。
【発明を実施するための最良の形態】
【０００９】
以下、本発明の波付可撓管の接続方法について実施例を参照して説明する。
【実施例】
【００１０】
図１は本発明の波付可撓管の接続方法に使用される管継手の雄部の一部断面図であり、ポリエチレン（ＰＥ）製の雄部１は螺旋状部１１と雄側嵌合部１２で形成されている。螺旋状部１１の内周面にはポリエチレンテレフタレート（ＰＥＴ）製の吸水性不織布４が敷設されている。雄側嵌合部１２は螺旋状部１１側に波付可撓管の貫通を防止する貫通防止部１３が形成されている。雄側嵌合部１２の先端側には係止部１４が形成されている。雄側嵌合部１２の外周面にはエチレンプロピレンゴム（ＥＰＤＭ）で形成されたゴムパッキン５が設置されている。
【００１１】
図２は本発明の波付可撓管の接続方法に使用される管継手の雌部の一部断面図であり、ＰＥ製の雌部２は螺旋状部２１と雌側嵌合部２２で形成されている。螺旋状部２１の内周面には吸水性不織布６が敷設されている。雌側嵌合部２２は螺旋状部２１側に波付可撓管の貫通を防止する貫通防止部２３が形成されている。雌側嵌合部２２の内周面には硬質塩化ビニル樹脂（ＰＶＣ）製の割付きストッパリング７が設置されている。吸水性不織布６は吸水性不織布４と同材料が使用されている。なお、割付きストッパリング７はＰＶＣに限定されず、アクリロニトリル・ブタジエン・スチレン樹脂（ＡＢＳ）で形成することもできる。
【００１２】
図３は本発明の波付可撓管の接続方法の工程図であり、長尺形成された２本の高密度ポリエチレン（ＨＤＰＥ）製の波付可撓管３１，３２の端部へ、雄部１および雌部２を各々の螺旋状部１１，２１から螺入する（ａ）。
【００１３】
波付可撓管３１，３２は雄部１および雌部２に形成された貫通防止部１３，２３で固定された状態で螺設されている。波付可撓管３１，３２は螺旋状部１１，２１の内周面に敷設された吸水性不織布４，６と密接されている。雄側嵌合部１２を雌側嵌合部２２へ挿設する（ｂ）。
【００１４】
雄部１および雌部２が嵌合され、波付可撓管３１，３２が接続されている。ゴムパッキン５は雌側嵌合部２２の内周面に密接されている。割付きストッパリング７は係止部１４で係止されている（ｃ）。
【図面の簡単な説明】
【００１５】
【図１】本発明の波付可撓管の接続方法に使用される管継手の雄部の一部断面図である。
【図２】本発明の波付可撓管の接続方法に使用される管継手の雌部の一部断面図である。
【図３】本発明の波付可撓管の接続方法の工程図である。
【符号の説明】
【００１６】
１  雄部
２  雌部
５  ゴムパッキン
７  割付きストッパリング
４，６  吸水性不織布
１１，２１  螺旋状部
１２  雄側嵌合部
１３，２３  貫通防止部
１４  係止部
２２  雌側嵌合部
３１，３２  波付可撓管
【図１】
2007127170.tif 000003
【図２】
2007127170.tif 000004
【図３】
2007127170.tif 000005